(57)【要約】携帯端末で送受信した電子メールから、所定の情報を自動的に抽出、蓄積することによって、携帯端末側での情報の記録を不要とし、携帯端末が使用不可になった場合や機種変更等の際にもそれらの情報を使用することを可能とする、携帯端末用情報サーバを提供することを目的とする。  携帯端末用情報サーバに割り当てられた電子メールアドレスに対する電子メールを電子メールサーバから取得・受信し、携帯端末のユーザ毎に電子メールデータベースに格納する電子メール取得手段と、電子メールデータベースに格納した電子メールから、所定の項目を抽出し、それを携帯端末のユーザ毎に各データベースに格納する手段と、携帯端末から検索条件を受信し、検索条件を満たす情報を各データベースから検索し、その結果を携帯端末に送信する検索手段とを、有する携帯端末用情報サーバである。
2005036409.tif 000002
【特許請求の範囲】
【請求項１】
固有の電子メールアドレスが割り当てられた携帯端末用情報サーバであって、
前記携帯端末用情報サーバは、
前記携帯端末用情報サーバに割り当てられた電子メールアドレスに対する電子メールを電子メールサーバから取得・受信し、携帯端末のユーザ毎に電子メールデータベースに格納する電子メール取得手段と、
前記電子メールデータベースに格納した電子メールから、前記電子メールの送受信日付、件名、本文のうち少なくとも一以上を属性として抽出し、前記携帯端末のユーザ毎に電子メール属性データベースに格納する電子メール属性抽出手段と、
前記携帯端末から検索条件を受信し、前記検索条件を満たす情報を前記電子メール属性データベースから検索し、その結果を前記携帯端末に送信する検索手段とを、
有することを特徴とする携帯端末用情報サーバ。
【請求項２】
固有の電子メールアドレスが割り当てられた携帯端末用情報サーバであって、
前記携帯端末用情報サーバは、
前記携帯端末用情報サーバに割り当てられた電子メールアドレスに対する電子メールを電子メールサーバから取得・受信し、携帯端末のユーザ毎に電子メールデータベースに格納する電子メール取得手段と、
前記電子メールデータベースに格納した電子メールから、前記電子メールの本文に含まれる電話番号を抽出し、前記携帯端末のユーザ毎に電話番号データベースに格納する電話番号抽出手段と、
前記携帯端末から検索条件を受信し、前記検索条件を満たす情報を前記電話番号データベースから検索し、その結果を前記携帯端末に送信する検索手段とを、
有することを特徴とする携帯端末用情報サーバ。
【請求項３】
固有の電子メールアドレスが割り当てられた携帯端末用情報サーバであって、
前記携帯端末用情報サーバは、
前記携帯端末用情報サーバに割り当てられた電子メールアドレスに対する電子メールを電子メールサーバから取得・受信し、携帯端末のユーザ毎に電子メールデータベースに格納する電子メール取得手段と、
前記電子メールデータベースに格納した電子メールから、前記電子メールの本文に含まれるＵＲＬを抽出し、前記携帯端末のユーザ毎にＵＲＬデータベースに格納するＵＲＬ抽出手段と、
前記携帯端末から検索条件を受信し、前記検索条件を満たす情報を前記ＵＲＬデータベースから検索し、その結果を前記携帯端末に送信する検索手段とを、
有することを特徴とする携帯端末用情報サーバ。
【請求項４】
固有の電子メールアドレスが割り当てられた携帯端末用情報サーバであって、
前記携帯端末用情報サーバは、
前記携帯端末用情報サーバに割り当てられた電子メールアドレスに対する電子メールを電子メールサーバから取得・受信し、携帯端末のユーザ毎に電子メールデータベースに格納する電子メール取得手段と、
前記電子メールデータベースに格納した電子メールから、前記電子メールの本文に含まれる電子メールアドレス、前記電子メールの送信先又は送信元の電子メールアドレスを抽出し、前記携帯端末のユーザ毎に電子メールアドレスデータベースに格納する電子メールアドレス抽出手段と、
前記携帯端末から検索条件を受信し、前記検索条件を満たす情報を前記電子メールアドレスデータベースから検索し、その結果を前記携帯端末に送信する検索手段とを、
有することを特徴とする携帯端末用情報サーバ。
【請求項５】
固有の電子メールアドレスが割り当てられた携帯端末用情報サーバであって、
前記携帯端末用情報サーバは、
前記携帯端末用情報サーバに割り当てられた電子メールアドレスに対する電子メールを電子メールサーバから取得・受信し、携帯端末のユーザ毎に電子メールデータベースに格納する電子メール取得手段と、
前記電子メールデータベースに格納した電子メールから、前記電子メールの添付ファイルを抽出し、前記携帯端末のユーザ毎に添付ファイルデータベースに格納する添付ファイル抽出手段と、
前記携帯端末から検索条件を受信し、前記検索条件を満たす情報を前記添付ファイルデータベースから検索し、その結果を前記携帯端末に送信する検索手段とを、
有することを特徴とする携帯端末用情報サーバ。
【請求項６】
前記電子メール取得手段は、
前記携帯端末のユーザによって、予め携帯端末用情報サーバに割り当てられた電子メールアドレスに対して送信された保存対象となる電子メールを前記電子メールサーバから取得・受信する、
ことを特徴とする請求の範囲１から請求の範囲５のいずれかに記載の携帯端末用情報サーバ。
【請求項７】
前記電子メール取得手段は、
前記電子メールサーバが受信した電子メールであって、前記電子メールサーバが自動的に、
予め携帯端末用情報サーバに割り当てられた電子メールアドレスに対して送信した電子メールを前記電子メールサーバから取得・受信する、
ことを特徴とする請求の範囲１から請求の範囲５のいずれかに記載の携帯端末用情報サーバ。
【請求項８】
前記電子メールサーバが自動的に電子メールを送信する際には、予め設定された送信条件を満たす電子メールのみを、携帯端末用情報サーバに割り当てられた電子メールアドレスに対して送信する、
ことを特徴とする請求の範囲７に記載の携帯端末用情報サーバ。
【発明の詳細な説明】
【技術分野】  本発明は、携帯端末で送受信した電子メールから、電話番号、ＵＲＬ、電子メールアドレス等を自動的に抽出し、情報を蓄積しておくことによって、携帯端末側での情報の記録を不要とし、携帯端末が使用不可になった場合や機種変更等の際にもそれらの情報を使用することを可能とする、携帯端末用情報サーバに関する。
【背景技術】  携帯端末（本明細書で携帯端末とは、携帯電話、ＰＨＳ、ＰＤＡを含むものとする）のユーザは、予め携帯端末に用意されている電話帳（アドレス帳）の機能によって、受発信した電話番号や電子メールアドレス等を保存し、架電の際、電子メール送信の際、等に利用している。
【発明の開示】
特開２００３−１３４２１９号公報に開示の発明のように、従来の携帯端末では、携帯端末自体に電話番号や電子メールアドレス等を保存している。しかし、携帯端末のメモリには記録容量に限度がある。又、従来の方法を用いていると携帯端末を変更する場合には、電話番号や電子メールアドレス等を新たな携帯端末に移動させる作業が必要となり、端末の機種によってはその移動作業が容易でない場合がある。更に、携帯端末を紛失、破壊等した場合には、携帯端末のメモリに情報が記録されている為、情報を喪失してしまう危険性がある。
更に近年では、携帯端末で小型の着脱可能な記憶媒体（例えばメモリスティク等）を使用可能としているものもあるが、このような記憶媒体は、携帯端末に装着している場合が多く、携帯端末を紛失、破壊等した場合には記憶媒体も使用不可能になってしまう場合がある。
そこで本発明者は、上述の問題点に鑑み、携帯端末で用いる電話番号、ＵＲＬ、電子メールアドレス等の情報をサーバで格納することによって、携帯端末の故障や機種変更等によっても、情報の紛失の危険性を回避する携帯端末用情報サーバを発明した。更に、この電話番号、ＵＲＬ、電子メールアドレス等は当該携帯端末で送受信される電子メールから自動的に抽出することによって、サーバに対する情報の煩雑な登録作業をなくすことも可能とすることが出来る、携帯端末用情報サーバを発明した。
第１の発明は、固有の電子メールアドレスが割り当てられた携帯端末用情報サーバであって、前記携帯端末用情報サーバは、前記携帯端末用情報サーバに割り当てられた電子メールアドレスに対する電子メールを電子メールサーバから取得・受信し、携帯端末のユーザ毎に電子メールデータベースに格納する電子メール取得手段と、前記電子メールデータベースに格納した電子メールから、前記電子メールの送受信日付、件名、本文のうち少なくとも一以上を属性として抽出し、前記携帯端末のユーザ毎に電子メール属性データベースに格納する電子メール属性抽出手段と、前記携帯端末から検索条件を受信し、前記検索条件を満たす情報を前記電子メール属性データベースから検索し、その結果を前記携帯端末に送信する検索手段とを、有する携帯端末用情報サーバである。
又、抽出する情報としては、電子メールの本文に含まれる電話番号であっても良い。つまり、固有の電子メールアドレスが割り当てられた携帯端末用情報サーバであって、前記携帯端末用情報サーバは、前記携帯端末用情報サーバに割り当てられた電子メールアドレスに対する電子メールを電子メールサーバから取得・受信し、携帯端末のユーザ毎に電子メールデータベースに格納する電子メール取得手段と、前記電子メールデータベースに格納した電子メールから、前記電子メールの本文に含まれる電話番号を抽出し、前記携帯端末のユーザ毎に電話番号データベースに格納する電話番号抽出手段と、前記携帯端末から検索条件を受信し、前記検索条件を満たす情報を前記電話番号データベースから検索し、その結果を前記携帯端末に送信する検索手段とを、有する携帯端末用情報サーバである。
又、抽出する情報としては、電子メールの本文に含まれるＵＲＬであっても良い。つまり、固有の電子メールアドレスが割り当てられた携帯端末用情報サーバであって、前記携帯端末用情報サーバは、前記携帯端末用情報サーバに割り当てられた電子メールアドレスに対する電子メールを電子メールサーバから取得・受信し、携帯端末のユーザ毎に電子メールデータベースに格納する電子メール取得手段と、前記電子メールデータベースに格納した電子メールから、前記電子メールの本文に含まれるＵＲＬを抽出し、前記携帯端末のユーザ毎にＵＲＬデータベースに格納するＵＲＬ抽出手段と、前記携帯端末から検索条件を受信し、前記検索条件を満たす情報を前記ＵＲＬデータベースから検索し、その結果を前記携帯端末に送信する検索手段とを、有する携帯端末用情報サーバである。
又、抽出する情報としては、電子メールの本文の電子メールアドレス、送信先、送信元の電子メールアドレスであっても良い。つまり、固有の電子メールアドレスが割り当てられた携帯端末用情報サーバであって、前記携帯端末用情報サーバは、前記携帯端末用情報サーバに割り当てられた電子メールアドレスに対する電子メールを電子メールサーバから取得・受信し、携帯端末のユーザ毎に電子メールデータベースに格納する電子メール取得手段と、前記電子メールデータベースに格納した電子メールから、前記電子メールの本文に含まれる電子メールアドレス、前記電子メールの送信先又は送信元の電子メールアドレスを抽出し、前記携帯端末のユーザ毎に電子メールアドレスデータベースに格納する電子メールアドレス抽出手段と、前記携帯端末から検索条件を受信し、前記検索条件を満たす情報を前記電子メールアドレスデータベースから検索し、その結果を前記携帯端末に送信する検索手段とを、有する携帯端末用情報サーバである。
又、抽出する情報としては、電子メールに添付された添付ファイルであっても良い。つまり、固有の電子メールアドレスが割り当てられた携帯端末用情報サーバであって、前記携帯端末用情報サーバは、前記携帯端末用情報サーバに割り当てられた電子メールアドレスに対する電子メールを電子メールサーバから取得・受信し、携帯端末のユーザ毎に電子メールデータベースに格納する電子メール取得手段と、前記電子メールデータベースに格納した電子メールから、前記電子メールの添付ファイルを抽出し、前記携帯端末のユーザ毎に添付ファイルデータベースに格納する添付ファイル抽出手段と、前記携帯端末から検索条件を受信し、前記検索条件を満たす情報を前記添付ファイルデータベースから検索し、その結果を前記携帯端末に送信する検索手段とを、有する携帯端末用情報サーバである。
保存対象となる電子メールは、ユーザが選択しても良いし、自動的に選択されても良い。つまり、前記電子メール取得手段は、前記携帯端末のユーザによって、予め携帯端末用情報サーバに割り当てられた電子メールアドレスに対して送信された保存対象となる電子メールを前記電子メールサーバから取得・受信する携帯端末用情報サーバであっても良いし、前記電子メール取得手段は、前記電子メールサーバが受信した電子メールであって、前記電子メールサーバが自動的に、予め携帯端末用情報サーバに割り当てられた電子メールアドレスに対して送信した電子メールを前記電子メールサーバから取得・受信する、携帯端末用情報サーバであっても良い。
電子メールを自動的に送信するには、上述のように全てを送信しても良いし、何らかの条件を満たすもののみであっても良い。つまり、前記電子メールサーバが自動的に電子メールを送信する際には、予め設定された送信条件を満たす電子メールのみを、携帯端末用情報サーバに割り当てられた電子メールアドレスに対して送信する、携帯端末用情報サーバとしても良い。
上述の本発明によって、携帯端末の故障や機種変更等の際の情報紛失等の危険性を回避することが出来、更にサーバへの情報の登録作業も自動化されているので、ユーザに負担を生じさせることがない。
【図面の簡単な説明】  図１は、本発明の全体のシステム構成の一例を示したシステム構成図である。図２は、本発明の携帯端末用情報サーバのシステム構成の一例を示したシステム構成図である。図３は、本発明の携帯端末用情報サーバの利用されるプロセスの流れの一例を示したフローチャート図である。図４は、電子メールの属性を検索する場合の検索画面の一例である。図５は、詳細な属性を検索する場合の検索条件の入力画面の一例である。図６は、属性の検索結果の画面の一例である。図７は、電話番号を検索する場合の検索画面の一例である。図８は、電話番号の検索結果の画面の一例である。図９は、ＵＲＬを検索する場合の検索画面の一例である。図１０は、ＵＲＬの検索結果の画面の一例である。図１１は、電子メールアドレスを検索する場合の検索画面の一例である。図１２は、電子メールアドレスの検索結果の画面の一例である。図１３は、添付ファイルを検索する場合の検索画面の一例である。図１４は、添付ファイルの検索結果の画面の一例である。図１５は、本発明の他のプロセスの流れの一例を示したフローチャート図である。
【符号の説明】
１：携帯端末用情報サーバ  ２：電子メールサーバ  ３：携帯端末  ４：ネットワーク  １０：電子メール取得手段  １１：電子メール属性抽出手段  １２：電話番号抽出手段  １３：ＵＲＬ抽出手段  １４：電子メールアドレス抽出手段  １５：添付ファイル抽出手段  １６：検索手段  １７：電子メールデータベース  １８：電子メール属性データベース  １９：電話番号データベース  ２０：ＵＲＬデータベース  ２１：電子メールアドレスデータベース  ２２：添付ファイルデータベース
【発明を実施するための最良の形態】  本発明のシステム構成の一例を図１及び図２のシステム構成図を用いて詳細に説明する。図１のシステム構成図は、ネットワーク４に接続した電子メールサーバ２と本発明の携帯端末用情報サーバ１とユーザが利用する少なくとも一以上の携帯端末３とのシステム構成を示した図である。図２のシステム構成図は、携帯端末用情報サーバ１について詳細なシステム構成を示したシステム構成図である。
電子メールサーバ２は、ネットワーク４を介して携帯端末３から電子メールの送信、受信を行わせる為の公知の電子メールサーバ２である。
携帯端末３は、ユーザが利用する可搬型の端末である。ここで携帯端末３は、ネットワーク４機能を有する携帯電話、ＰＨＳ、ＰＤＡ等がある。
携帯端末用情報サーバ１は、電子メールサーバ２で送受信した電子メールを取得し、その電子メールから所定の項目を抽出し格納するサーバである。携帯端末用情報サーバ１は、電子メール取得手段１０と電子メール属性抽出手段１１と電話番号抽出手段１２とＵＲＬ抽出手段１３と電子メールアドレス抽出手段１４と添付ファイル抽出手段１５と検索手段１６と電子メールデータベース１７と電子メール属性データベース１８と電話番号データベース１９とＵＲＬデータベース２０と電子メールアドレスデータベース２１と添付ファイルデータベース２２とを有する。
電子メール取得手段１０は、携帯端末用情報サーバ１に割り当てられた電子メールアドレスに対する電子メールを電子メールサーバ２から取得し、電子メールデータベース１７に格納する手段である。電子メール取得手段１０が電子メールを取得するには、予め携帯端末用情報サーバ１の固有の電子メールアドレスを電子メールサーバ２内に作成しておき、当該電子メールアドレスに対して送信された電子メールを電子メール取得手段１０が定期的又は不定期に電子メールサーバ２から取得することによって実現できる。
この場合には携帯端末用情報サーバ１固有の電子メールアドレスを所有することとなるので、携帯端末用情報サーバ１に格納し保存、検索することを希望する電子メールは、ユーザが携帯端末３から電子メールを送信する際、又は相手方がユーザに対して電子メールを送信する際に送信先又は送信元として予め設定しておく必要がある。つまり、携帯端末３と同様に携帯端末用情報サーバ１にも固有の電子メールアドレスを割り当てることによって、その電子メールアドレスに送信された電子メールから電話番号、ＵＲＬ、電子メールアドレス等の情報を抽出することが出来る。
更に送信先又は送信元として携帯端末用情報サーバ１の電子メールアドレスを設定するのが困難又は面倒な場合には、電子メールサーバ２に携帯端末用情報サーバ１の電子メールアドレスをエイリアス（ａｌｉａｓ  別名定義。電子メールの送信先として、携帯端末用情報サーバ１の電子メールアドレスが電子メールに設定されていなくても、自動的に携帯端末用情報サーバ１の電子メールアドレスを当該電子メールの送信先に含めて送信すること）として設定することによって、携帯端末用情報サーバ１の電子メールアドレスを電子メールの送信先又は送信元に含めなくても、自動的に携帯端末用情報サーバ１の電子メールアドレスに対して送信することが出来る。
電子メール属性抽出手段１１は、電子メールデータベース１７に格納した電子メールから、電子メールの送受信日付、件名、本文を、各々電子メールの所定欄から抽出し、電子メール属性データベース１８に格納する手段である。例えば送受信日付を抽出するには、電子メールの「Ｄａｔｅ」から抽出し、件名は「Ｓｕｂｊｅｃｔ」から抽出する。
電話番号抽出手段１２は、電子メールデータベース１７に格納した電子メールから、電子メールに含まれている電話番号を抽出し、電話番号データベース１９に格納する手段である。電話番号を抽出するには、数字が連続しており、途中に「−」が２又は３含まれている一文を抽出する。単に電話番号を抽出するのみではなく、その前後に含まれる固有名詞を抽出することによって、当該固有名詞を有する者の電話番号として格納しても良い。このような固有名詞の登録は、上述のように自動的に抽出しても良いし、固有名詞のみを携帯端末３から別途電話番号と関連づけて入力を受け付けても良い。
ＵＲＬ抽出手段１３は、電子メールデータベース１７に格納した電子メールから、電子メールの本文に含まれているＵＲＬを抽出し、ＵＲＬデータベース２０に格納する手段である。ＵＲＬを抽出するには、「ｈｔｔｐ：／／」や「ｈｔｔｐｓ：／／」等から始まり英数字や記号からなる一文を抽出すればよい。更に必要であるならば、電話番号と同様に、その前後に含まれる固有名詞を抽出することによって、当該固有名詞と関連づけられたＵＲＬとして格納しても良い。又、ＵＲＬを抽出した際に、このＵＲＬをどのような固有名詞で保存するかの入力を受け付けることによって、抽出したＵＲＬと固有名詞とを関連づけてＵＲＬデータベース２０に格納しても良い。
電子メールアドレス抽出手段１４は、電子メールデータベース１７に格納した電子メールから、電子メールの送信先、送信元を電子メールの所定欄から抽出し、又場合によっては本文から電子メールアドレスを抽出し、電子メールアドレスデータベース２１に格納する手段である。例えば送信元を抽出するには電子メールの「Ｆｒｏｍ」から抽出し、送信先を抽出するには「Ｔｏ」から抽出する。更に本文から抽出するには、「＠」を含む英数字や記号を含む一文を抽出すればよい。更に単に電子メールアドレスを抽出するのみではなく、その前後に含まれる固有名詞を抽出することによって、当該固有名詞を有する者の電子メールアドレスとして格納しても良い。このような固有名詞の登録は、上述のように自動的に抽出しても良いし、固有名詞のみを携帯端末３から別途電子メールアドレスと関連づけて入力を受け付けても良い。
添付ファイル抽出手段１５は、電子メールデータベース１７に格納した電子メールに添付されている添付ファイルを抽出し、添付ファイルデータベース２２に格納する手段である。この際に格納する添付ファイルとしては、例えばカメラ付き携帯端末３で撮像した画像ファイルや、携帯端末３の着信メロディとして使用可能な音楽ファイル（音声データ）がある。
検索手段１６は、携帯端末３から検索条件と検索要求とを受信し、検索条件を満たす情報を各データベースから検索し、その結果を携帯端末３に送信する手段である。
電子メールデータベース１７は、電子メール取得手段１０で取得した電子メールを、各携帯端末３のユーザ毎に個別に格納しているデータベースである。
電子メール属性データベース１８は、電子メールの送受信日付、件名、本文等を、各携帯端末３のユーザ毎に個別に格納しているデータベースである。
電話番号データベース１９は、電話番号とその電話番号を有する者の氏名、名称等とが関連づけられており、各携帯端末３のユーザ毎に個別に格納しているデータベースである。
ＵＲＬデータベース２０は、電子メールに含まれているＵＲＬを各携帯端末３のユーザ毎に個別に格納しているデータベースである。
電子メールアドレスデータベース２１は、電子メールアドレスとその電子メールアドレスを有する者の氏名、名称等とが関連づけられており、各携帯端末３のユーザ毎に個別に格納しているデータベースである。
添付ファイルデータベース２２は、電子メールに添付された添付ファイルを各携帯端末３のユーザ毎に個別に格納しているデータベースである。
次に本発明の携帯端末用情報サーバ１の利用されるプロセスの流れの一例を図３のフローチャート図、図１及び図２のシステム構成図とを用いて詳細に説明する。
携帯端末３のユーザに対してインターネット等のネットワーク４を介して送信された電子メールは、携帯端末３のユーザが属するインターネットサービスの提供者であるプロバイダの電子メールサーバ２（好適には携帯端末３の運営会社等の電子メールサーバ２）で受信する（Ｓ１００）。
携帯端末３に対する電子メールを受信した電子メールサーバ２は、当該携帯端末３に対して電子メールが送信可能であるか否かをチェックし、送信可能（電波が受信可能状態にある等）であるならば、携帯端末３にＳ１００で受信した電子メールを送信する（Ｓ１１０）。一方、チェックした結果、送信可能状態でない（携帯端末３が受信圏外にある、携帯端末３の電源がオフである等）ならば、電子メールサーバ２で電子メールを一時保存し、携帯端末３からの問い合わせ要求があった際に、電子メールを送信する。この際には携帯端末３が送信可能状態になったことを検知し、Ｓ１００で受信した電子メールを携帯端末３に再送しても良い。
Ｓ１１０に於いて携帯端末３で電子メールを受信し、閲覧したユーザが、その電子メールに含まれる情報、例えば電子メールの属性、電話番号、ＵＲＬ、電子メールアドレス、添付ファイル等を携帯端末用情報サーバ１で保存することを希望した場合、所定の電子メールアドレスに対して当該電子メールを転送する。ここで転送された電子メールは、電子メールサーバ２で受信される（Ｓ１２０）。
携帯端末用情報サーバ１は、自らに割り当てられた電子メールアドレスに対する電子メールを、電子メール取得手段１０が電子メールサーバ２から取得する（Ｓ１３０）。この取得の際には、電子メールサーバ２が携帯端末用情報サーバ１に電子メールを送信しても良いし、定期的又は不定期に携帯端末用情報サーバ１が電子メールサーバ２に電子メールの有無の問い合わせを行っても良い。
電子メール取得手段１０は、電子メールサーバ２から電子メールを取得後、携帯端末３のユーザ毎に、当該電子メールを電子メールデータベース１７に格納する。このように電子メールデータベース１７に各ユーザ毎に格納することによって、他の携帯端末３のユーザからのアクセスを防ぎ、ユーザのプライバシを保護することとなる。
電子メールデータベース１７に格納した電子メールから、各抽出手段が各々所定項目を抽出し（Ｓ１４０）、それを各データベースに格納する（Ｓ１５０）。尚、各データベースに情報を格納する際には、各携帯端末３のユーザ毎の情報として格納する。つまり他のユーザからはアクセスできない状態にして情報を格納する。他のユーザからはアクセスできない状態として情報を格納するには、他のユーザからのアクセスの際には、当該情報をアクセス不許可（アクセス不許可のフラグを立てる等）として各データベースで格納しておけばよい。
電子メール属性抽出手段１１は、電子メールデータベース１７に格納した電子メールから、電子メールの送受信日付、件名、本文を、各々電子メールの所定欄から抽出し、電子メール属性データベース１８に格納する。例えば送受信日付を抽出するには、電子メールの「Ｄａｔｅ」から抽出し、件名は「Ｓｕｂｊｅｃｔ」から抽出する。
電話番号抽出手段１２は、電子メールデータベース１７に格納した電子メールから、電子メールに含まれている電話番号を抽出し、電話番号データベース１９に格納する。電話番号を抽出するには、数字が連続しており、途中に「−」が２又は３含まれている一文を抽出する。単に電話番号を抽出するのみではなく、その前後に含まれる固有名詞を抽出することによって、当該固有名詞を有する者の電話番号として格納しても良い。このような固有名詞の登録は、上述のように自動的に抽出しても良いし、又、電話番号を抽出した際に、誰の電話番号であるのかの入力を当該携帯端末３に促し、携帯端末３から固有名詞の入力を受け付けることによって、抽出した電話番号と固有名詞とを関連づけて電話番号データベース１９に格納しても良い。
ＵＲＬ抽出手段１３は、電子メールデータベース１７に格納した電子メールから、電子メールの本文に含まれているＵＲＬを抽出し、ＵＲＬデータベース２０に格納する。ＵＲＬを抽出するには、「ｈｔｔｐ：／／」や「ｈｔｔｐｓ：／／」等から始まり英数字や記号からなる一文を抽出すればよい。更に必要であるならば、電話番号と同様に、その前後に含まれる固有名詞を抽出することによって、当該固有名詞と関連づけられたＵＲＬとして格納しても良い。又、ＵＲＬを抽出した際に、このＵＲＬをどのような固有名詞で保存するかの入力を受け付けることによって、抽出したＵＲＬと固有名詞とを関連づけてＵＲＬデータベース２０に格納しても良い。
電子メールアドレス抽出手段１４は、電子メールデータベース１７に格納した電子メールから、電子メールの送信先、送信元を電子メールの所定欄から抽出し、又場合によっては本文から電子メールアドレスを抽出し、電子メールアドレスデータベース２１に格納する。例えば送信元を抽出するには電子メールの「Ｆｒｏｍ」から抽出し、送信先を抽出するには「Ｔｏ」から抽出する。更に本文から抽出するには、「＠」を含む英数字や記号を含む一文を抽出すればよい。更に単に電子メールアドレスを抽出するのみではなく、その前後に含まれる固有名詞を抽出することによって、当該固有名詞を有する者の電子メールアドレスとして格納しても良い。このような固有名詞の登録は、上述のように自動的に抽出しても良いし、又、電子メールアドレスを抽出した際に、誰の電子メールアドレスであるのかの入力を当該携帯端末３に促し、携帯端末３から固有名詞の入力を受け付けることによって、抽出した電子メールアドレスと固有名詞とを関連づけて電子メールアドレスデータベース２１に格納しても良い。
添付ファイル抽出手段１５は、電子メールデータベース１７に格納した電子メールに添付されている添付ファイルを抽出し、添付ファイルデータベース２２に格納する。この際に格納する添付ファイルとしては、例えばカメラ付き携帯端末３で撮像した画像ファイルや、携帯端末３の着信メロディとして使用可能な音楽ファイル（音声データ）がある。
ユーザが携帯端末用情報サーバ１に、電話番号等の情報を保存した後に、その情報を使用する場合には、まず携帯端末３からどのような情報が必要であるのかの問い合わせ要求を送信する。
例えばどのような電子メールを過去に受信したかを知りたい場合には、図４のような検索画面からプルダウンメニュー等で「属性」を選択し、図５のような検索条件の入力画面に、いつ以降の電子メールか、特定のキーワードを含む電子メールか、とのような条件をユーザが携帯端末３に入力し、「検索」を選択することで検索条件と検索要求が携帯端末用情報サーバ１に送信される。そしてそれを受信した検索手段１６は（Ｓ１６０）、電子メール属性データベース１８から当該検索条件を満たす電子メールを検索し（Ｓ１７０）、該当したうち、例えばその件名を検索結果として検索手段１６が携帯端末３に送信する（Ｓ１８０）。そしてそれを携帯端末３で受信したユーザは（この場合の画面の一例を図６に示す）、当該件名から例えば「おはよう」を選択することによって、当該件名の電子メールの閲覧要求を携帯端末３から携帯端末用情報サーバ１に送信され、それを受信した検索手段１６は、当該件名の電子メールを電子メールデータベース１７から抽出し、それを携帯端末３に送信する。このようにすることによって、ユーザは適切な電子メールを取得することが可能となる。
ユーザが電話番号を知りたい場合には、図７のような検索画面からプルダウンメニュー等で「電話番号」を選択することで、当該ユーザが保存した電話番号の検索要求を携帯端末３から携帯端末用情報サーバ１に送信する。この際に更に固有名詞等の詳細な検索条件を指定できるようにしても良い。検索要求を受信した（Ｓ１６０）検索手段１６は、電話番号データベース１９から当該ユーザが保存した電話番号を検索し（Ｓ１７０）、その結果を図８に示すような検索結果として携帯端末３に送信し（Ｓ１８０）、表示させる。図８に示した電話番号をユーザが携帯端末３から選択すると、当該電話番号に直接架電出来るようにすると良い。
ユーザがＵＲＬを知りたい場合には、図９のような検索画面からプルダウンメニュー等で「ＵＲＬ」を選択することで、当該ユーザが保存したＵＲＬの検索要求を携帯端末３から携帯端末用情報サーバ１に送信する。この際に更に固有名詞等の詳細な検索条件を指定できるようにしても良い。検索要求を受信した（Ｓ１６０）検索手段１６は、ＵＲＬデータベース２０から当該ユーザが保存したＵＲＬを検索し（Ｓ１７０）、その結果を図１０に示すような検索結果として携帯端末３に送信し（Ｓ１８０）、表示させる。図１０に示したＵＲＬをユーザが携帯端末３から選択すると、当該ＵＲＬに直接接続出来るようにすると良い。
ユーザが電子メールアドレスを知りたい場合には、図１１のような検索画面からプルダウンメニュー等で「電子メールアドレス」を選択することで、当該ユーザが保存した電子メールアドレスの検索要求を携帯端末３から携帯端末用情報サーバ１に送信する。この際に更に固有名詞等の詳細な検索条件を指定できるようにしても良い。検索要求を受信した（Ｓ１６０）検索手段１６は、電子メールアドレスデータベース２１から当該ユーザが保存した電子メールアドレスを検索し（Ｓ１７０）、その結果を図１２に示すような検索結果として携帯端末３に送信し（Ｓ１８０）、表示させる。図１２に示した電子メールアドレスをユーザが携帯端末３から選択すると、当該電子メールアドレスに直接電子メールを送信出来るようにすると良い。
ユーザが添付ファイルを閲覧したい場合には、図１３のような検索画面からプルダウンメニュー等で「添付ファイル」を選択することで、当該ユーザが保存した添付ファイルの検索要求を携帯端末３から携帯端末用情報サーバ１に送信する。この際に更に固有名詞等の詳細な検索条件を指定できるようにしても良い。検索要求を受信した（Ｓ１６０）検索手段１６は、添付ファイルデータベース２２から当該ユーザが保存した添付ファイルを検索し（Ｓ１７０）、その結果を図１４に示すような検索結果として携帯端末３に送信し（Ｓ１８０）、表示させる。図１４に示した添付ファイルのファイル名をユーザが携帯端末３から選択すると、当該添付ファイルを携帯端末用情報サーバ１から携帯端末３に直接ダウンロード（携帯端末用情報サーバ１から携帯端末３に当該添付ファイルを送信）出来るようにすると良い。
以上のように電子メールに対する処理を携帯端末用情報サーバ１で実行することによって、携帯端末３のユーザは殆ど操作の負担がなく、自動的にサーバ上で情報を保存することが可能となる。このようにすることで、仮にユーザが携帯端末３を紛失した場合、機種交換をした場合等であっても、携帯端末３で必要な情報を所有せずにサーバで保存しているので、データの紛失、移動等は不要となる。
次に、本発明の他の実施態様の一例を示す。この場合のプロセスの流れの一例を、図１５のフローチャート図に示す。
携帯端末３のユーザに対してインターネット等のネットワーク４を介して送信された電子メールは、携帯端末３のユーザが属するインターネットサービスの提供者であるプロバイダの電子メールサーバ２（好適には携帯端末３の運営会社等の電子メールサーバ２）で受信する（Ｓ２００）。
携帯端末３に対する電子メールを受信した電子メールサーバ２は、当該携帯端末３に対して電子メールが送信可能であるか否かをチェックし、送信可能（電波が受信可能状態にある等）であるならば、携帯端末３にＳ２００で受信した電子メールを送信する（Ｓ２１０）。一方、チェックした結果、送信可能状態でない（携帯端末３が受信圏外にある、携帯端末３の電源がオフである等）ならば、電子メールサーバ２で電子メールを一時保存し、携帯端末３からの問い合わせ要求があった際に、電子メールを送信する。この際には携帯端末３が送信可能状態になったことを検知し、Ｓ２００で受信した電子メールを携帯端末３に再送しても良い。
Ｓ２００でユーザ宛の電子メールを受信した携帯端末用情報サーバ１は、Ｓ２１０でユーザの携帯端末３に当該電子メールを送信すると共に、携帯端末用情報サーバ１の電子メールアドレスにも、当該電子メールを自動的に転送する（Ｓ２２０）。
Ｓ２３０以降の処理は、実施例１のＳ１３０以降と同じであるので説明を省略する。
このように、実施例１（最初の実施例）では、ユーザが携帯端末３で受信した電子メールのち、保存を希望する電子メールをユーザの携帯端末３から携帯端末用情報サーバ１に送信することで、情報の保存を実現していたが、実施例２（２つ目の実施例）では、ユーザが携帯端末３から電子メールを送信しなくても、電子メールサーバ２で受信した電子メールを自動的に携帯端末用情報サーバ１に送信することによって、ユーザの負担を更に軽減することが出来る。このＳ２２０の自動送信では、全ての電子メールを送信せずとも、予め送信条件、例えば所定の電子メールアドレスからの電子メールである、本文に所定の単語が含まれている、添付ファイルがある、等の送信条件を満たすものに限り、携帯端末用情報サーバ１に自動送信しても良い。この送信条件は、電子メールサーバ２が携帯端末３から送信条件を受信することによって、随時設定可能となる。
本発明に於ける各手段、データベースは、その機能が論理的に区別されているのみであって、物理上あるいは事実上は同一の領域を為していても良い。又データベースの代わりにデータファイルであっても良いことは言うまでもなく、データベースとの記載にはデータファイルをも含んでいる。
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
この場合、記憶媒体から読み出されたプログラム自体が前記した実施態様の機能を実現することとなり、そのプログラムを記憶した記憶媒体は本発明を当然のことながら構成することになる。
プログラムを供給する為の記憶媒体としては、例えば磁気ディスク、ハードディスク、光ディスク、光磁気ディスク、磁気テープ、不揮発性のメモリカード等を使用することができる。
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。
【産業上の利用可能性】  本発明によって、携帯端末３の故障や機種変更等の際の情報紛失等の危険性を回避することが出来、更にサーバへの情報の登録作業も自動化されているので、ユーザに負担を生じさせることがない。
【図１】
2005036409.tif 000003
【図２】
2005036409.tif 000004
【図３】
2005036409.tif 000005
【図４】
2005036409.tif 000006
【図５】
2005036409.tif 000007
【図６】
2005036409.tif 000008
【図７】
2005036409.tif 000009
【図８】
2005036409.tif 000010
【図９】
2005036409.tif 000011
【図１０】
2005036409.tif 000012
【図１１】
2005036409.tif 000013
【図１２】
2005036409.tif 000014
【図１３】
2005036409.tif 000015
【図１４】
2005036409.tif 000016
【図１５】
2005036409.tif 000017
【国際調査報告】
2005036409.tif 000018
2005036409.tif 000019
2005036409.tif 000020